(57)【特許請求の範囲】
【請求項１】
絶縁材料により形成される端子台と、
前記端子台に設けられ、第１配線と第２配線を電気的に接続する端子部と、を備え、
前記端子台は、前記第１配線が挿通される空間部を有する導電性材料の台座に固定され、
前記第１配線が前記空間部から前記端子部へ向けて屈曲される端子台装置であって、
前記端子部は、ボルトと、前記第１配線と前記第２配線を間接的に接続する導電性の中継端子と、前記ボルトに螺入可能なナットと、を備え、
前記端子台は、該端子台と一体形成される隔壁板と、前記ボルトの一部を挿入可能とする有底孔と、を備え、
前記ボルトの一部は前記有底孔に挿入され、
前記第２配線は、前記端子台から外部に突出している前記ボルトに係止され、前記ナットの締め付けにより前記中継端子に接続され、
前記台座は、前記空間部から前記端子部へ向かう前記第１配線の延在方向において、前記空間部を臨む正面壁を有し、
前記隔壁板は、前記空間部から前記端子部へ向かう前記第１配線の延在方向において、前記空間部における前記第１配線と前記正面壁との間に介在されることを特徴とする端子台装置。
【請求項２】
前記端子台は、
前記台座に固定され、前記第１配線を通す開口部を有する端子台本体と、
前記端子台本体を覆うカバー体と、を備え、
前記隔壁板は前記端子台本体と一体形成されていることを特徴とする請求項１記載の端子台装置。
【請求項３】
前記隔壁板は、第１の隔壁板であり、
前記端子台は、該端子台と一体形成される第２の隔壁板を備え、
前記第２の隔壁板は、前記空間部から前記端子部へ向かう前記第１配線の延在方向と直交する方向において、前記空間部における前記第１配線と前記台座との間に介在されることを特徴とする請求項１又は２記載の端子台装置。
【請求項４】
前記第１配線は、電動モータから前記端子台に接続される配線であり、
前記第２配線は、前記端子台から外部機器に接続される配線であることを特徴とする請求項１〜３のいずれか一項記載の端子台装置。
【発明の詳細な説明】
【技術分野】
【０００１】
この発明は、端子台装置に係り、特に、第１配線と第２配線が電気的に接続される端子台装置に関する。
【背景技術】
【０００２】
端子台装置に関係する従来技術としては、例えば、特許文献１に開示された電動モータを挙げることができる。特許文献１に開示された電動モータは、回転子及び固定子を有するモータ本体部を備えている。モータ本体部は、シャフトに固定された回転子と、この回転子の周囲に配置された円筒状の固定子と、固定子の一側部分を覆うエンドブラケットと、固定子の他側部分を覆うエンドブラケットとを有している。固定子の固定子巻線の一側部分には、複数本のリード線を有する外部接続用端子が接続されている。また、電動モータは、各外部接続用端子が接続される複数の端子台と、各外部接続用端子及び各端子台を覆う端子カバーと、各端子台および端子カバーをモータ本体部に取り付けるための取付ブラケットとを備えている。各外部接続用端子は、固定子巻線から固定子の他側部分を覆うエンドブラケットに向けて略Ｌ字状に延びるように取り出されている。
【０００３】
また、別の従来技術としては、例えば、特許文献２に開示されたモータの製造方法及びモータを挙げることができる。特許文献２に開示されたモータでは、円筒状のフレームの後端には、第１エンドブラケットが接合されている。第１エンドブラケットによりフレームの後端側の開口のほぼ全体が閉鎖されている。第１エンドブラケットの開口上部はフレーム側に向けて開放され、端子台収容口が形成されている。フレームの後端側の上部外面には端子台が固定されている。端子台は合成樹脂材料より直方体状に形成された端子台本体に、複数のボルトをインサートしてなるものであり、端子台本体の上端面から各ボルトの先端が突出しているものである。端子台本体の後端面は端子台収容口から第１エンドブラケット内に臨んでいる。
【０００４】
固定子鉄心の第１コイルエンド部からは、各相の固定子巻線のリード部が引き出されている。各リード部の先端には、接続端子としての丸端子が固着されている。各リード部それぞれは、第１コイルエンド部の外周面から、第１コイルエンド部の径方向外側に向けて引き出されるとともに端子台に向けて円弧状に曲げ変形されている。各リード部の丸端子のそれぞれは、ボルトが挿通された状態で端子台に固定される。端子台と各リード部とが丸端子を介して電気的に接続されている。
【先行技術文献】
【特許文献】
【０００５】
【特許文献１】特開２００５−３１８７４２号公報
【特許文献２】特開２０１０−７４９５８号公報
【発明の概要】
【発明が解決しようとする課題】
【０００６】
特許文献１、２では、固定子から引き出される各相の配線（リード線又はリード部）が略Ｌ字状（又は円弧状）に曲げて端子台と接続されている。このため、配線の曲がり具合によっては、配線がエンドブラケットに接近し、配線とエンドブラケットとの絶縁距離を十分に確保できないおそれがある。配線とエンドブラケットとの絶縁距離を十分に確保するためには、端子台への配線組付時において、配線の曲がり具合を厳格に設定しなければならず、配線組付の作業が煩雑となるという問題がある。
【０００７】
本発明は上記の問題点に鑑みてなされたもので、本発明の目的は、配線の曲がり具合を意識することなく端子台への配線を組み付けることが可能な端子台装置の提供にある。
【課題を解決するための手段】
【０００８】
上記の課題を解決するために、本発明は、絶縁材料により形成される端子台と、前記端子台に設けられ、第１配線と第２配線を電気的に接続する端子部と、を備え、前記端子台は、前記第１配線が挿通される空間部を有する導電性材料の台座に固定され、前記第１配線が前記空間部から前記端子部へ向けて屈曲される端子台装置であって、前記端子部は、ボルトと、前記第１配線と前記第２配線を間接的に接続する導電性の中継端子と、前記ボルトに螺入可能なナットと、を備え、前記端子台は、該端子台と一体形成される隔壁板と、前記ボルトの一部を挿入可能とする有底孔と、を備え、前記ボルトの一部は前記有底孔に挿入され、前記第２配線は、前記端子台から外部に突出している前記ボルトに係止され、前記ナットの締め付けにより前記中継端子に接続され、前記台座は、前記空間部から前記端子部へ向かう前記第１配線の延在方向において、前記空間部を臨む正面壁を有し、前記隔壁板は、前記空間部から前記端子部へ向かう前記第１配線の延在方向において、前記空間部における前記第１配線と前記正面壁との間に介在されることを特徴とする。
【０００９】
本発明では、空間部から端子部へ向かう第１配線の延在方向において、隔壁板が第１配線と台座との間に介在されることから、第１配線と台座は隔壁板により物理的に隔絶される。従って、第１配線の曲がり具合に関わらず、第１配線と台座との絶縁を確実に保つことができる。その結果、配線の曲がり具合を意識することなく端子台への配線を組み付けることが可能である。
【００１０】
また、上記の端子台装置において、前記端子台は、前記台座に固定され、前記第１配線を通す開口部を有する端子台本体と、前記端子台本体を覆うカバー体と、を備え、前記隔壁板は前記端子台本体と一体形成されている構成であってもよい。
この場合、隔壁板が台座に沿って空間部に挿入されることにより、端子台本体の台座の固定位置に対する位置決めが容易となる。
【００１１】
また、上記の端子台装置において、前記隔壁板は、前記隔壁板は、第１の隔壁板であり、前記端子台は、該端子台と一体形成される第２の隔壁板を備え、前記第２の隔壁板は、前記空間部から前記端子部へ向かう前記第１配線の延在方向と直交する方向において、前記空間部における前記第１配線と前記台座との間に介在される構成としてもよい。
この場合、空間部から端子部へ向かう第１配線の延在方向と直交する方向において、第２の隔壁板が第１配線と台座との間に介在されることから、第１配線と台座は第２の隔壁板により物理的に隔絶される。空間部から端子部へ向かう第１配線の延在方向と直交する方向における第１配線と台座は第２の隔壁板により物理的に隔絶される。
【００１２】
また、上記の端子台装置において、前記第１配線は、電動モータから前記端子台に接続される配線であり、前記第２配線は、前記端子台から外部機器に接続される配線である構成としてもよい。
この場合、電動モータと端子台とを互いに接近して配置する構成としても、電動モータから端子台に接続される第１配線の曲がり具合に関わらず、第１配線と台座との絶縁を確実に保つことができ、効果的である。
【発明の効果】
【００１３】
本発明によれば、配線の曲がり具合を意識することなく端子台への配線を組み付けることが可能な端子台装置を提供することができる。
【図面の簡単な説明】
【００１４】
【図１】第１の実施形態に係る端子台装置を適用した電動機の斜視図である。
【図２】第１の実施形態に係る端子台装置の分解斜視図である。
【図３】（ａ）は第１の実施形態に係る端子台装置を適用した電動機の要部の縦断面図であり、（ｂ）は（ａ）のＡ−Ａ線矢視図である。
【図４】第１の実施形態に係る端子台装置の端子台本体の斜視図である。
【図５】（ａ）は第１の実施形態に係る端子台本体の平面図であり、（ｂ）は（ａ）におけるＢ−Ｂ線矢視図であり、（ｃ）は（ａ）におけるＣ−Ｃ線矢視図である。
【図６】（ａ）は第１の実施形態に係るカバー体の平面図であり、（ｂ）は（ａ）におけるＤ−Ｄ線矢視図である。
【図７】参考例に係る端子台装置の分解斜視図である。
【図８】参考例に係る端子台装置の縦断面図である。
【発明を実施するための形態】
【００１５】
（第１の実施形態）
以下、第１の実施形態に係る端子台装置について図面を参照して説明する。本実施形態は、電動モータとしての三相誘導電動機に適用した例である。
【００１６】
図１、図２に示す電動モータ１０には、モータ本体１１とモータ本体１１に設けた端子台装置１２が備えられている。本実施形態の電動モータ１０は三相誘導電動機である。図３（ａ）に示すように、モータ本体１１は、ステータ１３とステータ１３の内部にて回転するロータ１４とを備えている。図４に示すように、ステータ１３の外周面には、端子台装置１２の一部を支持し、固定するための支持部１５が設けられている。支持部１５には、ねじ孔１６が形成されている。ステータ１３は、ステータコア１７とコイル１８とを備え、ステータコア１７の両端部にはコイル１８のコイルエンドが形成されている。図３（ａ）では一方の端部のコイルエンド１９のみが図示され、他方の端部のコイルエンドは図示されない。ロータ１４はロータコア２０とロータコア２０の中心を貫通して固定された回転軸２１を備えている。
【００１７】
図１、図２に示すように、ステータ１３の一方の端部には、一方のコイルエンド１９を覆うフロントカバー２２が設けられ、他方の端部にはコイルエンドを覆うリヤカバー２３が設けられている。フロントカバー２２とリヤカバー２３は通しボルト２４によりステータ１３に固定されている。フロントカバー２２には、図３（ａ）に示すように、ロータ１４の回転軸２１が軸受２５を介して支持されており、回転軸２１の端部は、フロントカバー２２から外部に突出する。フロントカバー２２から突出する回転軸２１の端部は出力軸部である。リヤカバー２３には、ロータ１４の回転軸２１が軸受（図示せず）を介して支持されている。回転軸２１の軸心Ｐ方向は水平方向と一致する。
【００１８】
本実施形態では、フロントカバー２２は端子台装置１２の固定先である台座に相当する。フロントカバー２２の上面は、端子台装置１２を支持する支持面である。図４に示すように、フロントカバー２２の上面には端子台装置１２を固定するためのボルト２６が螺入される複数のねじ孔２７が形成されている。図３（ａ）、図３（ｂ）に示すように、フロントカバー２２には、フロントカバー２２の上部からコイルエンド１９に達するまで貫通する空間部２８が形成されている。空間部２８は、次に説明する電動モータ１０側の配線３１が挿通される空間である。本実施形態では、空間部２８がフロントカバー２２のリヤカバー２３側から窪むように切り欠かれて形成されている（図４を参照）。図３（ａ）、図３（ｂ）に示すように、フロントカバー２２は、回転軸２１の軸方向において空間部２８を臨む前方の正面壁２９と、回転軸２１の軸方向と直交する幅方向において空間部２８の両側に位置する側面壁３０と有する。
【００１９】
本実施形態では、フロントカバー２２側のコイルエンド１９から電動モータ１０側の複数の配線３１が引き出されている。複数の配線３１は、図２、図４に示すように、Ｕ相配線３１Ｕ、Ｖ相配線３１ＶおよびＷ相配線３１Ｗの三相の配線であり、第１配線に相当する。Ｕ相配線３１Ｕ、Ｖ相配線３１ＶおよびＷ相配線３１Ｗは端子台装置１２と接続されている。複数の配線３１の端部には丸形の圧着端子３２がそれぞれ備えられている。具体的には、Ｕ相配線３１Ｕの端部には圧着端子３２Ｕが備えられ、Ｖ相配線３１Ｖの端部には圧着端子３２Ｖが備えられ、Ｗ相配線３１Ｗの端部には圧着端子３２Ｗが備えられている。一方、端子台装置１２には、外部機器（例えば、インバータ）と接続された外部接続側の複数の配線３３が接続される。図１に示すように、複数の配線３３は、Ｕ相配線３３Ｕ、Ｖ相配線３３ＶおよびＷ相配線３３Ｗの三相の配線であり、第２配線に相当する。配線３３の数は配線３１の数と同数である。複数の配線３３の端部には丸形の圧着端子３４がそれぞれ備えられている。具体的には、Ｕ相配線３３Ｕの端部には圧着端子３４Ｕが備えられ、Ｖ相配線３３Ｖの端部には圧着端子３４Ｖが備えられ、Ｗ相配線３３Ｗの端部には圧着端子３４Ｗが備えられている。
【００２０】
次に、複数の配線３１と複数の配線３３とを電気的に接続する端子台装置１２について説明する。図１に示すように、本実施形態の端子台装置１２は、電動モータ１０の上部に位置するように、フロントカバー２２およびステータ１３の支持部１５にボルト２６の締結により取り付けられている。図２に示すように、端子台装置１２は、端子台本体３５、カバー体３６、ボルト３７、円筒状の中継端子３８およびナット３９を備えている。本実施形態の端子台本体３５およびカバー体３６は、端子台に相当する。中継端子３８、ボルト３７およびナット３９の数は配線３１、３３の数と同数である。また、導電性材料により形成されるボルト３７、中継端子３８およびナット３９は、端子台装置１２における配線３１と配線３３を電気的に接続する端子部に相当する。
【００２１】
端子台本体３５は、絶縁材料（例えば、ポリアミド樹脂）により平板状に形成されている。図５（ａ）に示すように、本実施形態の端子台本体３５には、電動モータ１０に取り付けた状態にてフロントカバー２２側に位置する前端縁４０が形成されている。また、端子台本体３５には、前端縁４０の両端部から前端縁４０と直交する方向へ向けてそれぞれ延在する一対の側端縁４１、４２が形成されている。一方の側端縁４１は他方の側端縁４２よりも前端縁４０と直交する方向へ長く延在する。側端縁４１と側端縁４２とを結ぶ後端縁４３が形成されており、後端縁４３は前端縁４０に対して４５°傾斜している。前端縁４０、側端縁４１、４２および後端縁４３は端子台本体３５の外周縁を形成する。端子台本体３５の外周縁付近には、カバー体３６と接合する接合部が形成されている。
【００２２】
端子台本体３５の前端縁４０の近くであって後端縁４３と離れた位置には、方形状の開口部４４が形成されている。開口部４４は、Ｕ相配線３１Ｕ、Ｖ相配線３１ＶおよびＷ相配線３１Ｗを通すために形成されている。図５（ｂ）、図５（ｃ）に示すように、端子台本体３５の裏面には、開口部４４の一部に倣って形成される第１の隔壁板４５および第２の隔壁板４６が設けられている。第１の隔壁板４５および第２の隔壁板４６は、端子台本体３５と一体形成されており、端子台本体３５の裏面から突出して形成されている。第１の隔壁板４５は開口部４４の４辺のうち前端縁４０側の辺に形成されている。第２の隔壁板４６は、開口部４４の４辺のうち側端縁４１、４２側の辺にそれぞれ形成されている。
【００２３】
本実施形態では、第１の隔壁板４５および第２の隔壁板４６は一体形成されており、端子台本体３５がフロントカバー２２に固定された状態では、空間部２８に挿入される。第１の隔壁板４５は、空間部２８から端子部へ向かう配線３１の延在方向において配線３１とフロントカバー２２の正面壁２９との間に介在され、フロントカバー２２の正面壁２９と配線３１との接触を妨げる機能を有する。図３（ａ）に示すように、配線３１は、コイルエンド１９から回転軸２１の径方向外側へ向かうコイル側部位と、屈曲された屈曲部位と、屈曲部位から端子部へ向かう端子側部位と、を有している。延在方向は、屈曲部位から端子部へ向かう端子側部位と平行である。第２の隔壁板４６は、空間部２８から端子部へ向かう配線３１の延在方向と直交する方向において配線３１とフロントカバー２２との間に介在され、フロントカバー２２の側面壁３０と配線３１との接触を妨げる機能を有する。延在方向は、屈曲部位から端子部へ向かう端子側部位と平行であり、第２の隔壁板４６は、配線３１における端子側部位と平行である。本実施形態では、第１の隔壁板４５および第２の隔壁板４６は、配線３１の延在方向に延びる端子側部位の両側および配線３１の屈曲側部位側の３方向から配線３１を覆う。
【００２４】
端子台本体３５の後端縁４３の近くであって前端縁４０と離れた位置には、表面が隆起する隆起部４７が形成されている。隆起部４７は後端縁４３に沿って３箇所形成されている。隆起部４７には六角形の有底孔４８が形成されており、有底孔４８はボルト３７の一部を挿入可能である。各有底孔４８が前端縁４０に対して４５°傾斜する後端縁４３に沿って配置されている。端子台本体３５は、端子台本体３５を電動モータ１０に取り付けるボルト２６を挿通する通孔４９を備える。通孔４９は、接合部において側端縁４１、４２に沿うように形成されている。
【００２５】
カバー体３６は、端子台本体３５と同じ絶縁材料により形成されている。カバー体３６の外周縁は、端子台本体３５の形状に対応している。具体的には、図６（ａ）に示すように、カバー体３６には、端子台本体３５の前端縁４０に対応する前端縁５０が形成されている。カバー体３６には、端子台本体３５の側端縁４１に対応する側端縁５１、端子台本体３５の側端縁４２に対応する側端縁５２が形成されている。さらに、カバー体３６には、端子台本体３５の後端縁４３に対応する後端縁５３が形成されている。カバー体３６の外周縁付近は端子台本体３５と接合される接合部が形成されている。カバー体３６には、接合部の内側に空間が形成されるように、接合部から立ち上がる周壁部５４と周壁部５４の内側にて接合部より高い位置となる天壁部５５が形成されている。接合部には、ボルト２６を挿通する通孔５６、５７が形成されている。
【００２６】
図５（ｂ）に示すように、カバー体３６の接合部および端子台本体３５の接合部が互いに接合される状態では、端子台本体３５とカバー体３６との間には、Ｕ相配線３３Ｕ、Ｖ相配線３３ＶおよびＷ相配線３３Ｗを配置可能とする空間部Ａが形成される。また、カバー体３６の天壁部５５の内壁面は端子台本体３５と対向する。端子台本体３５において接合部および開口部４４を除くカバー体３６側の面は、天壁部５５の内壁面と対向する対向面に相当する。
【００２７】
カバー体３６の後端縁５３の近くであって前端縁５０と離れた位置には、貫通孔５８が形成されている。貫通孔５８は円形孔であり、中継端子３８が挿通される孔である。カバー体３６が端子台本体３５の上側となるように接合される状態では、貫通孔５８の中心は端子台本体３５の有底孔４８の中心と一致し、貫通孔５８と有底孔４８の軸心は上下方向となる。貫通孔５８は有底孔４８の数と対応して３個形成されている。貫通孔５８の周囲は天壁部５５の外壁面から筒状に隆起する厚肉部５９が形成されている。厚肉部５９には貫通孔５８の貫通方向と直交する環状の頂面６０が形成されている。
【００２８】
カバー体３６の天壁部５５の内壁面には、板状の絶縁仕切り部６１が形成されている。絶縁仕切り部６１は、空間部Ａを３分割するように２箇所に形成されている。絶縁仕切り部６１の長手方向は前端縁５０と直交する方向である。絶縁仕切り部６１の後端縁５３側の端部は、互いに隣り合う貫通孔５８の間と位置するように接合部に達している。絶縁仕切り部６１の前端縁５０側の端部は、接合部に達していない。絶縁仕切り部６１により、空間部Ａにおいて隣り合う配線間（Ｕ相配線３３ＵとＶ相配線３３Ｖとの間、Ｖ相配線３３ＶとＷ相配線３３Ｗとの間）の絶縁が確保される。
【００２９】
ボルト３７は、雄ねじを備えた軸部および軸部の端部に接続された頭部を有する六角ボルトである。締結部材としてのナット３９は、ボルト３７の軸部の螺入を可能とするねじ孔を備える公知のナットである。中継端子３８は、導電性に優れた銅により円筒状に形成されている。中継端子３８は導電部材であり、電動モータ１０側の配線３１と外部側の配線３３とを間接的に接続するためのものである。
【００３０】
本実施形態では、中継端子３８の一方の端面が電動モータ１０側の配線３１の圧着端子３２と当接する座面に相当する。中継端子３８の一方の端面と反対側となる他方の端面は、外部接続側の配線３３の圧着端子３４と当接する座面に相当する。
【００３１】
次に、本実施形態の端子台装置１２のフロントカバー２２への取り付けと、端子台装置１２における複数の配線３１、３３の接続について説明する。まず、２本のボルト２６を用いて端子台装置１２の端子台本体３５をフロントカバー２２へ固定する（図２、図４を参照）。端子台本体３５がフロントカバー２２に固定された状態では、第１の隔壁板４５、第２の隔壁板４６はフロントカバー２２の空間部２８に挿入される。第１の隔壁板４５は正面壁２９と対向し、第２の隔壁板４６は側面壁３０と対向する（図３（ａ）、（ｂ）を参照）。
【００３２】
次に、電動モータ１０側のＵ相配線３１Ｕ、Ｖ相配線３１ＶおよびＷ相配線３１Ｗが空間部２８および端子台本体３５の開口部４４から引き出される。Ｕ相配線３１Ｕ、Ｖ相配線３１ＶおよびＷ相配線３１Ｗは、各圧着端子３４Ｕ、３４Ｖ、３４Ｗが隆起部４７へ向かうようにそれぞれ屈曲されている。Ｕ相配線３１Ｕ、Ｖ相配線３１ＶおよびＷ相配線３１Ｗの空間部２８における部位は、コイルエンド１９から上方へ延びる。空間部２８における配線３１Ｕ、３１Ｖ、３１Ｗの部位と正面壁２９との間には、第１の隔壁板４５が介在しており、配線３１Ｕ、３１Ｖ、３１Ｗとフロントカバー２２との絶縁が第１の隔壁板４５により図られている。配線３１Ｕと側面壁３０との間には、一方の第２の隔壁板４６が介在し、３１Ｕとフロントカバー２２との絶縁が一方の第２の隔壁板４６により図られている。同様に、配線３１Ｗと側面壁３０との間には他方の第２の隔壁板４６が介在し、３１Ｗとフロントカバー２２との絶縁が他方の第２の隔壁板４６により図られている。
【００３３】
次に、端子台装置１２と電動モータ１０側のＵ相配線３１Ｕ、Ｖ相配線３１ＶおよびＷ相配線３１Ｗとの接続について説明する。圧着端子３２Ｕ、３２Ｖ、３２Ｗをボルト３７の軸部に係止させるとともに、予め電動モータ１０に固定された端子台本体３５の有底孔４８にボルト３７の頭部を挿入する（図２を参照）。
【００３４】
次に、中継端子３８をそれぞれのボルト３７に螺入し、中継端子３８を圧着端子３２Ｕ、３２Ｖ、３２Ｗに当接させる。図３（ａ）に示すように、中継端子３８を圧着端子３２Ｕ、３２Ｖ、３２Ｗに当接させた状態では、ボルト３７の軸部の先端は中継端子３８の端面よりも外部へ十分に突出した状態にある。
【００３５】
次に、カバー体３６を取り付け用のボルト２６を用いて端子台本体３５に固定する。カバー体３６を端子台本体３５に固定するとき、それぞれの中継端子３８を対応する貫通孔５８に挿通させる。カバー体３６が端子台本体３５に固定されると、下側の端子台本体３５と上側のカバー体３６との間に外部から隔絶された空間部Ａが形成される。空間部ＡにおいてＵ相配線３１Ｕ、Ｖ相配線３１ＶおよびＷ相配線３１Ｗが端子台装置１２に固定される。絶縁仕切り部６１は、空間部Ａにおいて隣り合う配線間（Ｕ相配線３１ＵとＶ相配線３１Ｖとの間、Ｖ相配線３１ＶとＷ相配線３１Ｗとの間）の絶縁を確保する。
【００３６】
次に、外部接続側のＵ相配線３３Ｕ、Ｖ相配線３３ＶおよびＷ相配線３３Ｗを端子台装置１２に接続する。圧着端子３４Ｕ、３４Ｖ、３４Ｗを、それぞれに対応する中継端子３８から突出しているボルト３７の軸部に係止させ、ナット３９をボルト３７に螺入して締め付ける。ナット３９の締め付けにより圧着端子３４Ｕ、３４Ｖ、３４Ｗはカバー体３６の外側にて中継端子３８の端面に当接される。ナット３９を締め付けることにより、圧着端子３２Ｕ、３２Ｖ、３２Ｗおよび圧着端子３４Ｕ、３４Ｖ、３４Ｗは軸力を受けて中継端子３８に押し付けられ、中継端子３８を介して間接的に接続される。
【００３７】
本実施形態の端子台装置１２によれば以下の作用効果を奏する。
（１）配線３１の屈曲方向において、第１の隔壁板４５が配線３１とフロントカバー２２の正面壁２９との間に介在されることから、配線３１と正面壁２９とは第１の隔壁板４５により物理的に隔絶される。従って、配線３１の曲がり具合に関わらず、配線３１と正面壁２９との絶縁を確実に保つことができる。その結果、配線３１の曲がり具合を意識することなく端子台本体３５への配線を組み付けることが可能である。配線３１の曲がり具合を意識することなく端子台本体３５への配線を組み付けることが可能であるから、端子台装置１２の組付作業の時間短縮化を図ることができる。
【００３８】
（２）第１の隔壁板４５が端子台本体３５に一体形成されていることから、第１の隔壁板４５がフロントカバー２２の正面壁２９に沿って空間部２８に挿入されることにより、端子台本体３５のフロントカバー２２の固定位置に対する位置決めが容易となる。
【００３９】
（３）空間部２８から端子部へ向かう配線３１の延在方向と直交する方向において、第２の隔壁板４６が配線３１（３１Ｕ、３１Ｗ）とフロントカバー２２の側面壁３０との間に介在されることから、配線３１と台座は第２の隔壁板４６により物理的に隔絶される。空間部２８から端子部へ向かう配線３１の延在方向と直交する方向における配線３１（３１Ｕ、３１Ｗ）と側面壁３０は第２の隔壁板４６により物理的に隔絶される。
【００４０】
（参考例）
次に、参考例に係る端子台装置について説明する。本参考例の端子台装置は、端子台本体およびカバー体の構造が第１の実施形態と異なる。本参考例では、端子台装置以外の電動モータ等の構成については、第１の実施形態と同じ構成であるため、第１の実施形態の説明を援用し、共通の符号を用いる。
【００４１】
図７に示すように、端子台装置７０は、端子台本体７１、カバー体７２、端子部７３を備えている。本参考例の端子台本体７１およびカバー体７２は、端子台に相当する。端子部７３の数は３相分の配線３１、３３の数と同数である。端子台本体７１は、絶縁材料（例えば、ポリアミド樹脂）により方形の平板状に形成されている。本参考例の端子台本体７１には、電動モータ１０に取り付けた状態にてフロントカバー２２側に位置する前端縁７４が形成されている。また、端子台本体７１には、前端縁７４の両端部から前端縁７４と直交する方向へ向けてそれぞれ延在する一対の側端縁７５、７６が形成されている。側端縁７５、７６の長さは同じである。側端縁７５と側端縁７６とを結ぶ後端縁７７が形成されており、後端縁７７は前端縁７４と平行である。前端縁７４、側端縁７５、７６および後端縁７７は端子台本体７１の外周縁を形成する。端子台本体７１の外周縁付近には、カバー体７２と接合する接合部が形成されている。
【００４２】
端子台本体７１の前端縁７４の近くであって後端縁７７と離れた位置には、方形状の開口部７８が形成されている。開口部７８は、Ｕ相配線３１Ｕ、Ｖ相配線３１ＶおよびＷ相配線３１Ｗを通すために形成されている。端子台本体７１の裏面には、開口部７８の一部に倣って形成される第１の隔壁板７９および第２の隔壁板８０が設けられている。第１の隔壁板７９および第２の隔壁板８０は、端子台本体７１と一体形成されており、端子台本体７１の裏面から突出して形成されている。第１の隔壁板７９は開口部７８の４辺のうち前端縁７４側の辺に形成されている。第２の隔壁板８０は、開口部７８の４辺のうち側端縁７５、７６側の辺にそれぞれ形成されている。
【００４３】
本参考例では、第１の隔壁板７９および第２の隔壁板８０は互いに分離して設けられており、端子台本体７１がフロントカバー２２に固定された状態では、空間部２８に挿入される。第１の隔壁板７９は、空間部２８から端子部７３へ向かう配線３１の延在方向において配線３１とフロントカバー２２の正面壁２９との間に介在され、フロントカバー２２の正面壁２９と配線３１との接触を妨げる機能を有する。図８に示すように、配線３１は、コイルエンド１９から回転軸２１の径方向外側へ向かうコイル側部位と、屈曲された屈曲部位と、屈曲部位から端子部へ向かう端子側部位と、を有している。延在方向は、屈曲部位から端子部へ向かう端子側部位と平行である。第２の隔壁板８０は、空間部２８から端子部７３へ向かう配線３１の延在方向と直交する方向において配線３１とフロントカバー２２の側面壁３０との間に介在され、フロントカバー２２の側面壁３０と配線３１との接触を妨げる機能を有する。延在方向は、屈曲部位から端子部へ向かう端子側部位と平行であり、第２の隔壁板８０は、配線３１における端子側部位と平行である。本参考例では、第１の隔壁板７９および第２の隔壁板８０は、配線３１の延在方向に延びる端子側部位の両側および配線３１の屈曲側部位側の３方向から配線３１を覆う。
【００４４】
端子台本体７１の開口部７８と後端縁７７との間には、３個の端子部７３（７３Ｕ、７３Ｖ、７３Ｗ）が設けられている。端子部７３には配線３１の圧着端子に挿通される軸部が備えられている。端子台本体７１は、端子台本体７１を電動モータ１０に取り付けるボルト２６を挿通する通孔８１を備える。通孔８１は、接合部において側端縁７５、７６に沿うように形成されている。端子台本体７１は、互いに隣り合う端子部７３の間に立設された絶縁仕切り部８２を有する。
【００４５】
カバー体７２は、端子台本体７１と同じ絶縁材料により形成されている。カバー体７２の外周縁は、端子台本体７１の形状に対応している。カバー体７２の外周縁付近は端子台本体７１と接合される接合部が形成されている。カバー体７２には、接合部の内側に空間が形成されるように、接合部から立ち上がる周壁部８３と周壁部８３の内側にて接合部より高い位置となる第１天壁部８４および第２天壁部８５が形成されている。第１天壁部８４は開口部７８の上方に位置し、第２天壁部８５は、第１天壁部８４よりも高い位置となるように設定されている。カバー体７２の第２天壁部８５側の端部は、配線３３が挿通されるように開口されている。接合部には、ボルト２６を挿通する通孔８６が形成されている。
【００４６】
図８に示すように、カバー体７２の接合部および端子台本体７１の接合部が互いに接合される状態では、端子台本体７１とカバー体７２との間には、Ｕ相配線３３Ｕ、Ｖ相配線３３ＶおよびＷ相配線３３Ｗを配置可能とする空間部Ｂが形成される。また、カバー体７２の天壁部８４の内壁面は端子台本体７１と対向する。本参考例の端子台装置７０によれば、第１の実施形態と同等の作用効果を奏する。
【００４７】
本発明は、上記の実施形態に限定されるものではなく発明の趣旨の範囲内で種々の変更が可能であり、例えば、次のように変更してもよい。
【００４８】
○  上記の実施形態では、第１配線および第２配線を３相に対応させて３本としたが、端子台装置に適用される第１配線および第２配線は３本に制限されず、複数であればよく、例えば、２本や４本であってもよい。
○  上記の実施形態では、電動モータとして三相誘導電動機を例示したが、電動モータの種類を制限する趣旨ではない。電動モータとしては、例えば、同期電動（発電）機であってもよい。また、端子台装置は電動モータ以外の電力機器に適用してもよい。
【符号の説明】
【００４９】
１０  電動モータ
１１  モータ本体
１２、７０  端子台装置
１３  ステータ
１４  ロータ
１７  ステータコア
１８  コイル
１９  コイルエンド
２０  ロータコア
２１  回転軸
２２  フロントカバー
２８  空間部
２９  正面壁
３０  側面壁
３１（３１Ｕ、３１Ｖ、３１Ｗ）  配線（モータ側）
３３（３３Ｕ、３３Ｖ、３３Ｗ）  配線（外部側）
３５、７１  端子台本体
３６、７２  カバー体
４４、７８  開口部
４５、７９  第１の隔壁板
４６、８０  第２の隔壁板
７３  端子部
Ａ  空間部
【図１】
0006500716.tif 000002
【図２】
0006500716.tif 000003
【図３】
0006500716.tif 000004
【図４】
0006500716.tif 000005
【図５】
0006500716.tif 000006
【図６】
0006500716.tif 000007
【図７】
0006500716.tif 000008
【図８】
0006500716.tif 000009